【手続補正書】
【提出日】平成16年12月9日(2004.12.9)
【手続補正１】
【補正対象書類名】明細書
【補正対象項目名】発明の名称
【補正方法】変更
【補正の内容】
【発明の名称】再生装置及び再生方法
【手続補正２】
【補正対象書類名】明細書
【補正対象項目名】特許請求の範囲
【補正方法】変更
【補正の内容】
【特許請求の範囲】
【請求項１】
記録媒体に記録された信号を再生する再生手段と、
上記再生された信号の等化を行うと共にその等化特性が可変である再生等化手段と、
上記再生等化手段で等化された信号のエラーを検出するエラー検出手段と、
上記エラー検出手段で検出されたエラー数が所定の値より小さいときは所定のアルゴリズムにより上記再生等化手段の等化特性を変化させると共に、上記エラー数が上記所定の値以上のときは上記等化特性を変化させずに保持する制御手段とを備えることを特徴とする再生装置。
【請求項２】
上記制御手段は更に、所定期間内で且つ上記エラー数が所定の値より小さいときは上記等化特性を変化させ、それ以外の期間においては上記等化特性を一定に保つことを特徴とする請求項１記載の再生装置。
【請求項３】
記録媒体に記録された信号を再生する再生手段と、
上記再生された信号の等化を行うと共に、その等化特性が可変である再生等化手段と、
上記再生等化手段で等化された信号のエラーを検出するエラー検出手段と、
所定期間内においては上記エラー検出手段で検出されたエラー数に関する情報に基づいて所定のアルゴリズムにより上記再生等化手段の等化特性を変化させ、それ以外の期間においては上記等化特性を一定に保つ制御手段とを備えることを特徴とする再生装置。
【請求項４】
上記エラー検出手段は、上記記録媒体の所定区間に記録された信号のエラーを検出し、上記制御手段は、複数の上記所定区間のエラー数を検出したとき上記等化特性を変化させる制御を行うことを特徴とする請求項１又は３記載の再生装置。
【請求項５】
記録媒体に記録された信号を再生する再生手順と、
上記再生された信号の等化を行う再生等化手順と、
上記等化された信号のエラーを検出するエラー検出手順と、
上記エラー検出手順で検出されたエラー数が所定の値より小さいときは所定のアルゴリズムにより上記再生等化手順における等化特性を変化させると共に、上記エラー数が上記所定の値以上のときは上記等化特性を変化させずに保持する制御手順とを備えることを特徴とする再生方法。
【請求項６】
上記制御手順は更に、所定期間内で且つ上記エラー数が所定の値より小さいときは上記等化特性を変化させ、それ以外の期間においては上記等化特性を一定に保つことを特徴とする請求項５記載の再生方法。
【請求項７】
記録媒体に記録された信号を再生する再生手順と、
上記再生された信号の等化を行う再生等化手順と、
上記等化された信号のエラーを検出するエラー検出手順と、
所定期間内においては上記エラー検出手順で検出されたエラー数に関する情報に基づいて所定のアルゴリズムにより上記再生等化手順における等化特性を変化させ、それ以外の期間においては上記等化特性を一定に保つ制御手順とを備えることを特徴とする再生方法。
【請求項８】
上記エラー検出手順は、上記記録媒体の所定区間に記録された信号のエラーを検出し、上記制御手順は、複数の上記所定区間のエラー数を検出したとき上記等化特性を変化させる制御を行うことを特徴とする請求項５又は７記載の再生方法。
【手続補正３】
【補正対象書類名】明細書
【補正対象項目名】０００１
【補正方法】変更
【補正の内容】
【０００１】
【発明の属する技術分野】
本発明は、デジタルＶＴＲ等に用いて好適な再生装置及び再生方法に関し、特に自動等化に関するものである。
【手続補正４】
【補正対象書類名】明細書
【補正対象項目名】０００８
【補正方法】変更
【補正の内容】
【０００８】
【課題を解決するための手段】
本発明の再生装置は、記録媒体に記録された信号を再生する再生手段と、上記再生された信号の等化を行うと共にその等化特性が可変である再生等化手段と、上記再生等化手段で等化された信号のエラーを検出するエラー検出手段と、上記エラー検出手段で検出されたエラー数が所定の値より小さいときは所定のアルゴリズムにより上記再生等化手段の等化特性を変化させると共に、上記エラー数が上記所定の値以上のときは上記等化特性を変化させずに保持する制御手段とを備えることを特徴とする。
【手続補正５】
【補正対象書類名】明細書
【補正対象項目名】０００９
【補正方法】変更
【補正の内容】
【０００９】
また、本発明の再生装置は、記録媒体に記録された信号を再生する再生手段と、上記再生された信号の等化を行うと共に、その等化特性が可変である再生等化手段と、上記再生等化手段で等化された信号のエラーを検出するエラー検出手段と、所定期間内においては上記エラー検出手段で検出されたエラー数に関する情報に基づいて所定のアルゴリズムにより上記再生等化手段の等化特性を変化させ、それ以外の期間においては上記等化特性を一定に保つ制御手段とを備えることを特徴とする。
【手続補正６】
【補正対象書類名】明細書
【補正対象項目名】００１０
【補正方法】変更
【補正の内容】
【００１０】
本発明の再生方法は、記録媒体に記録された信号を再生する再生手順と、上記再生された信号の等化を行う再生等化手順と、上記等化された信号のエラーを検出するエラー検出手順と、上記エラー検出手順で検出されたエラー数が所定の値より小さいときは所定のアルゴリズムにより上記再生等化手順における等化特性を変化させると共に、上記エラー数が上記所定の値以上のときは上記等化特性を変化させずに保持する制御手順とを備えることを特徴とする。
【手続補正７】
【補正対象書類名】明細書
【補正対象項目名】００１１
【補正方法】変更
【補正の内容】
【００１１】
また、本発明の再生方法は、記録媒体に記録された信号を再生する再生手順と、上記再生された信号の等化を行う再生等化手順と、上記等化された信号のエラーを検出するエラー検出手順と、所定期間内においては上記エラー検出手順で検出されたエラー数に関する情報に基づいて所定のアルゴリズムにより上記再生等化手順における等化特性を変化させ、それ以外の期間においては上記等化特性を一定に保つ制御手順とを備えることを特徴とする。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００３２
【補正方法】変更
【補正の内容】
【００３２】
【発明の効果】
以上説明したように本発明によれば、エラー数を検出することにより、エラー発生原因を判断することができ、エラー数が所定以上の状態では、等化特性に基因するエラーではなく、メカ的な要因等によるエラーであると判断して、その場合は等化特性を変化させずに保持して発散を防ぐことができる。また、互換性、経時変化の問題に対してもエラーを少なくし、信頼性を高めることができる。
【手続補正１１】
【補正対象書類名】明細書
【補正対象項目名】００３３
【補正方法】変更
【補正の内容】
【００３３】
また、所定期間内のみ等化特性を変化させる制御を行うようにした場合には、ＣＰＵ等の制御手段の負担を軽減することができる。
【手続補正１２】
【補正対象書類名】明細書
【補正対象項目名】００３４
【補正方法】変更
【補正の内容】
【００３４】
また、本発明によれば、エラー数に応じて等化特性を変化させる制御を行う場合に、ＣＰＵ等の制御手段の負担を軽減することができる。
【手続補正１３】
【補正対象書類名】明細書
【補正対象項目名】００３５
【補正方法】変更
【補正の内容】
【００３５】
また、記録媒体の所定区間についてエラーを検出し、さらにそれを複数区間検出することにより等化特性を変化させる制御を行うようにした場合には、等化制御を安定に行うことができる。